(57)【特許請求の範囲】
【請求項１】
識別番号を有し、非逐次状態において呼出メッセージの一部を受信する受信機の消費電力を低減するための方法であって、前記呼出メッセージが複数のデータ行を含み、各データ行が情報部分及びチャネルコーディング部分を有し、前記チャネルコーディング部分が前記情報部分の所定最大誤り数までの誤りを訂正し、前記呼出メッセージの受信した部分が前記複数のデータ行の前記情報部分を有し、それにより少なくとも１つの被呼出受信機の識別番号の少なくとも一部を有しており、また前記方法が、
前記受信した部分における前記少なくとも１つの被呼出識別番号の部分を検出する過程と、
前記少なくとも１つの被呼出識別番号の前記部分と受信機が有する前記識別番号の各部分とを比較し、それにより両番号間の不一致を検出する過程と、
前記少なくとも１つの被呼出識別番号の前記各部分に対して検出された前記不一致の数が前記所定最大誤り数を超える場合には、前記呼出メッセージの受信を中止する過程と、
前記呼出メッセージの付加的部分を受信する過程と、
前記付加的部分を、前記受信した部分と結合する過程と、
前記検出過程から繰り返す過程とを有することを特徴とする方法。
【請求項２】
接続される受信機の消費電力を低減するための装置であって、前記受信機が識別番号を有し、非逐次状態において呼出メッセージの一部を受信し、前記呼出メッセージが複数のデータ行を含み、各データ行が情報部分とチャネルコーディング部分とを有し、前記チャネルコーディング部分が前記情報部分の所定最大誤り数までの誤りを訂正し、前記呼出メッセージの受信した部分が前記複数のデータ行の前記情報部分を含み、それにより少なくとも１つの被呼出受信機の識別番号の少なくとも一部を含んでおり、また前記装置が、
前記受信機に接続されるコントローラと、
前記受信機に接続され、前記呼出メッセージの前記受信した部分を一次的に格納するためのバッファと、
前記識別番号を含む記憶ユニットと、
前記バッファ、前記記憶ユニット並びに前記コントローラに接続され、少なくとも１つの被呼出識別番号の前記少なくとも一部と前記識別番号の各部分とを比較するための比較器とを有し、
前記比較器が、少なくとも１つの被呼出識別番号の前記少なくとも一部と前記識別番号の前記各部分との間の不一致の数を前記コントローラに送出し、
前記コントローラが、前記不一致の数が前記所定最大誤り数を超える場合には、前記受信機に電力減衰コマンドを送出し、
前記バッファが、前記呼出メッセージの前記受信した部分の付加的部分を蓄積することを特徴とする受信機の消費電力を低減するための装置。
【発明の詳細な説明】
【０００１】
【発明の属する技術分野】
本発明は、全般に移動通信装置のパワーマネジメントに関連し、通信プロトコルにおいて非逐次データフォーマットを使用する際に、待ち受けモード時の消費電力を低減する方法に関連する。
【０００２】
【従来の技術】
待ち受けモード時の消費電力を低減するための方法が当技術分野において知られている。Drapac等に付与された米国特許第４，９６１，０７３号は、２つのメッセージ部分を含むページング送信を実行する通信プロトコルに従って動作する方法を開示している。ページング送信の第１の部分を受信する間に、そのバリデーションが検出される。第１の部分が有効であると確定された場合、ページング送信の第２の部分が受信される。そうでない場合には受信機への電力の供給が遮断される。
【０００３】
Hallbergに付与された米国特許第５，５３７，１００号は、ページャにおいて用いられる方法及び装置を開示しており、あるパターンの無相関ビットを検索する方法を用いて、従来の逐次ページング送信をデコードしている。この特許による方法は、受信ワードをユーザの受信機のアドレスと比較し、両者間に存在する無相関ビットをカウントする。
【０００４】
例えば、２ビット誤りまで訂正可能なＢＣＨデコーダを有する通信プロトコルでは、少なくとも３つの無相関ビットが検出される場合には、受信ワードが適切には確定されため、受信機への電力供給が遮断され、それによって消費電力を低減する。
【０００５】
ここで図１を参照すると、当分野において知られるコード照合に関する模式図が示される。ビットシーケンス１００は受信機の移動局識別番号（ＭＳＩ）であり、ビットシーケンス１０２はページング送信に付加された受信ビット列である。シーケンス１０２は、ＩＤ部分１０４及び誤り訂正に用いられるチャネルコーディング部分１０６を含む。ＢＣＨデコーダは、１０６部分を用いて、１０４部分の１ビット誤りまで訂正可能である。
【０００６】
本例示では、受信したＩＤシーケンスと受信機のＭＳＩとの間に２つの不一致部分１１０及び１１２が存在する。従来技術では、不一致の数が訂正可能な誤りの数より大きい場合、受信したＩＤは無視されるようになる。これは、チャネルコーディングビット１０６を用いて受信したＩＤ中の誤りを最大限に訂正したとしても、受信したＩＤとＭＳＩとの間にさらに少なくとも１つの不一致が存在するためである。
【０００７】
上記の方法が、逐次データの場合の解決法を提供することは当業者には理解されよう。非逐次データはこれらの方法に従って処理することはできない。また当業者には、データ或いはチャネルコーディングビットの何れかが非逐次フォーマットにおいて与えられる状況での解決法は存在しないということが理解されよう。
【０００８】
【発明が解決しようとする課題】
通信プロトコルにおいて非逐次データフォーマットを用いる際に、待ち受けモード時の消費電力を低減するための新規な方法及び装置を提供する。
【０００９】
【課題を解決するための手段】
本発明の１つの態様に従って、識別番号（ＩＤ）を有し、非逐次形式の呼出メッセージ（hailing message）の一部を受信する受信機の消費電力を低減するための方法が提供される。
【００１０】
呼出メッセージは複数のデータ行を含んでおり、各データ行が情報部分及びチャネルコーディング部分を含む。
【００１１】
チャネルコーディング部分は、情報に含まれる所定の最大誤り数を訂正し、呼出メッセージの受信された部分は、複数のデータ行からなる情報部分を含む。従って、呼出メッセージの受信部分は、被呼出受信機の識別番号の少なくとも一部を含む。その消費電力低減方法は、受信した部分から被呼出受信機の識別番号部分を検出する過程と、被呼出識別番号部分と受信機が有する識別番号の各部分とを比較し、それにより両者間の不一致を検出する過程と、１つの被呼出識別番号の各部分に対して、検出された不一致の数が最大誤り数を越える場合には、呼出メッセージの受信を中止する過程とからなる。
【００１２】
本発明の別の態様に従って、その方法はさらに、呼出メッセージの後続部分を受信する過程と、その後続部分を受信済部分と結合する過程と、検出する過程から繰り返す過程とをさらに有する。
【００１３】
本発明のさらに別の態様に従って、接続される受信機の消費電力を低減するための装置が提供される。受信機は識別番号を有し、非逐次状態において呼出メッセージの一部を受信する。
【００１４】
呼出メッセージは複数のデータ行を含み、各データ行が情報部分とチャネルコーディング部分とを含む。チャネルコーディング部分は情報に含まれる所定の最大誤り数を訂正する。呼出メッセージの受信部分は、複数のデータ行からなる情報部分を含み、それにより少なくとも１つの被呼出識別番号の少なくとも一部を含む。
【００１５】
その装置は、受信機に接続されるコントローラ、呼出メッセージの受信部分を一時的に格納するために受信機に接続されるバッファ、識別番号を含む記憶ユニット並びに少なくとも１つの被呼出識別番号部分と受信機が有する識別番号の各部分とを比較するために、バッファ、記憶ユニット並びにコントローラに接続される比較器とを備える。
【００１６】
比較器は、被呼出識別番号の各部分と受信機が有する識別番号の各部分の間の不一致の数をコントローラに与える。
【００１７】
不一致の全ての数が所定の最大誤り数を越える場合には、コントローラは受信機に電力低減コマンドを送出する。
【００１８】
さらにバッファは呼出メッセージの受信済部分に後続する部分を蓄積することができる。
【００１９】
【発明の実施の形態】
本発明は、図面に関連して取り上げられる以下の詳細な説明からより完全に理解されるであろう。
【００２０】
本発明は、受信した非逐次データを処理し、さらに受信ユニットＭＳＩの識別番号（ＩＤ）内の各ビットを考慮して各受信ビットを割り振ることにより、従来技術の不都合な点を改善する。また本発明は、チャネルコーディング（ＣＣ）情報が非逐次フォーマットにおいて与えられる際に、チャネルコーディング情報を利用する新規な方法も提供する。
【００２１】
ここで図２では、本発明の好適な実施例に従って構成され、かつ動作する、待ち受けモード時の消費電力を低減するための装置の模式図が示されており、全体として参照番号２００が付されている。
【００２２】
装置２００は、コントローラ２０８、コントローラ２０８に接続される比較器２０４、比較器２０４に共に接続される記憶ユニット２０６及びバッファ２０２を備える。装置２００のコントローラ２０８は、受信機２２０にも接続されており、受信機２２０はさらにアンテナ２２２及びバッファ２０２に接続される。
【００２３】
受信機２２０は、アンテナ２２２を介して送信された信号を受信し、その信号をバッファ２０２に供給する。記憶ユニット２０６は受信機２２０のＩＤ列（ＭＳＩ）を含む。比較器５０４は受信したビットを走査し、受信した各ビットに対して、ＭＳＩの対応する各ビットの位置を確定する。
【００２４】
その後比較器２０４は、受信したＩＤビットとＭＳＩの各ビットを比較する。不一致の数が許容される所定誤り数ＮERRORより大きい場合、コントローラ２０８は受信機２２０にコマンドを送出し、送信メッセージの残りの部分の受信を中止し、それにより消費電力を低減する。
【００２５】
本発明に基づいて、チャネルコーディング（ＣＣ）ビットが非逐次フォーマットにおいて与えられる時、ＮERRORはチャネルコーディングビットにより確定される。
【００２６】
ここで図３では、本発明の好適な実施例に従った、受信した送信メッセージの模式図が説明符号と共に示されており、全体として参照番号３００が付されている。
【００２７】
メッセージ３００は、行３０２，３０４，３０６並びに３０８のような複数の行を含む。それぞれの行はチャネルコーディング（ＣＣ）ビット列で終了する。本例示では、行３０２、３０４、３０６、並びに３０８は、それぞれＣＣ列ＣＣ302、ＣＣ304、ＣＣ306並びにＣＣ308で終了する。これらのＣＣ列は一行内で１ビット誤りまでの訂正を可能とし、こうしてＮERROR＝１となる。
【００２８】
さらに行３０８は、完全なメッセージが損なわれていないかを確定するために用いられるＣＲＣ（巡回冗長符号）を備える。
【００２９】
受信機２２０（図２）は、（列毎に）インターリーブされたフォーマットにおいてメッセージ３００を受信し、列１のビットがまず３１０の部分で受信され、その後列２のビットが３１２の時点で受信され、列６のビットが３１４の時点で受信され、さらに列Ｋのビットが３１６の時点で受信される。
【００３０】
行３０２、３０４、並びに３０６は、ＩＤ列の一部或いは全体を含み、メッセージ３００が割り振られた受信機の識別番号を表す。行３０２は第１のＩＤ列の第１の部分ＩＤ（１A）を含む。行３０４は第１のＩＤ列の第２の部分ＩＤ（１B）並びに完全な第２のＩＤ列ＩＤ（２）を含む。行３０６はＩＤ列ＩＤ（３）を含む。
【００３１】
ＲＣＲ−２７（ＰＤＣ）のようないくつかの通信標準規格は、多倍長ＩＤ番号を利用できるということも注目されたい。ＩＤ（１）及びＩＤ（３）は単一長ＩＤ番号であるが、一方ＩＤ（２）は二倍長ＩＤ番号である。
【００３２】
３１５の時点で、ＩＤ（１B）、ＩＤ（３）並びにＩＤ（２）の一部が受信される。その時点で、受信機２２０のＩＤの有効ビット間を比較した結果が、これらの各行に対するＮERRORを超える誤りをもたらす場合には、コントローラ２０８が受信機２２０にコマンドを送出し、メッセージ３００の残りの部分の受信を中止し、それにより消費電力を低減する。
【００３３】
第１の例では、ＭＳＩは単一長ＩＤ番号である。Ｊ番目のビット（３１５）になるまで、装置２００は、ＩＤ（１B）とＭＳＩの各部分との間に１つの不一致と、ＩＤ（３）とＭＳＩとの間に別の３つの不一致とを検出する。
【００３４】
いくつかの通信標準規格では、ＩＤ長の指示を行わないということは当業者には理解されよう。この場合には、装置２００は、その装置自体がもつＩＤ長にのみ関連して受信した情報を照合する。例えば装置２００は、１つのＩＤを含む場合があるメッセージ内の任意の位置で開始する受信メッセージから、１つのビット列を選択する。このビット列の長さはＭＳＩの長さと同一である。
【００３５】
ＩＤ（３）が２つ以上の不一致を含むため、これらの不一致の１つがＣＣ306を用いて訂正可能な誤りであっても、ＩＤ（３）とＭＳＩとの間にさらに少なくとも別の不一致が存在することになろう。
【００３６】
ＩＤ（１B）の場合、１つの不一致を有しており、ＩＤ（１A）がＭＳＩの第１の部分と同一であるか、或いは少なくともＩＤ（１B）と同じ状況にある（すなわちＮERROR以下の不一致を有する）という条件の場合、この不一致はＣＣ304を用いて訂正可能な１ビット誤りであることができる。
【００３７】
一方行３０２のＫ番目（３１６）のビットを受信した後、ＩＤ（１A）が２つ以上の不一致を有する場合、これらの不一致の１つがＣＣ302を用いて訂正可能な誤りであっても、ＩＤ（１A）とＭＳＩとの間にさらに少なくとも別の不一致が存在するため、さらにこのメッセージを受信する必要はないであろう。
【００３８】
本発明の１つの態様に従った場合、受信機は受信したＩＤのＩＤ長を検出することができる。従って、Ｋ番目のビット（３１６）を受信した後、受信機は、ＩＤ（２）の長さが単一長ＩＤの長さより長いことを検出し、それゆえそれを廃棄する。
【００３９】
本発明の別の態様に従った場合には、受信機は受信したＩＤのＩＤ長を検出することができない。従って、受信機は、ＩＤ（２）のような二倍長ＩＤ列を２つの単一長ＩＤ列として処理する。
【００４０】
第２の例では、ＭＳＩは二倍長ＩＤ番号である。Ｊ番目のビット（３１５）になるまで、装置２００は、ＩＤ（１）及びＩＤ（３）が単一長ＩＤ番号であり、ＩＤ（２）とＭＳＩとの間に２つの不一致が存在するということを検出する。その時点で、これらの不一致の１つがＣＣ304を用いて訂正可能な誤りであっても、ＩＤ（２）とＭＳＩとの間にさらに少なくとも別の不一致が存在するため、コントローラ２０８は受信機２２０にコマンドを送出し、メッセージ３００の受信を中止する。
【００４１】
ここで図４では、本発明の別の好適な実施例に従って動作する装置２００を動作させるための方法の流れ図が示される。
【００４２】
ステップ４００では、受信機が着信識別番号列の一部を受信する。本例示では、装置２００はメッセージ３００の１つのビット列を受信し、受信したビットのどの部分がＩＤ番号に割り当てられているかを検出する。第２の列では、ＩＤ番号に割り当てられるビットは行３０４及び３０６のビットである。
【００４３】
ステップ４０２では、装置２００はこれらのＩＤビットを以前に受信したＩＤビットに結合する。本例示では、第２列、行３０４のビットが、第１列、行３０４のビットに付加され、ＩＤ（１B）の部分的なＩＤ列を形成する。同様に、第２列、行３０６のビットは第１列、行３０６のビットに付加され、ＩＤ（３）の部分的なＩＤ列を形成する。
【００４４】
ステップ４０４では、装置２００は部分的なＩＤ列ＩＤ（１B）の第１のビットとＭＳＩの第８のビットを比較し、さらに部分的なＩＤ列ＩＤ（１B）の第２のビットをＭＳＩの第９のビットと比較する（ＩＤ（１A）は７ビットを有する）。さらに、装置２００は部分的なＩＤ列ＩＤ（３）の第１のビットとＭＳＩの第１のビットを比較し、さらに部分的なＩＤ列ＩＤ（３）の第２のビットとＭＳＩの第２のビットとを比較する。検出された不一致の数が、各比較手順に対して変数Ｎ内に格納される。
【００４５】
ステップ４０６では、装置２００はＮが不一致の所定数ＥMAXを超えるか否かを検出する。ＥMAXは受信したメッセージに与えられるチャネルコーディングを用いて訂正可能な誤りの最大数である。ＮがＥMAXを超える場合には、装置はステップ４０８に進む。そうでない場合には装置はステップ４１０に進む。
【００４６】
ステップ４０８では、装置２００は受信したメッセージ３００の全ＩＤ部分が走査されたか否かを検出する。全ＩＤが走査された場合には、装置２００は受信機２２０にコマンドを送出し、メッセージ３００の残りの部分の受信を中止し、それにより所定時間の間消費電力を低減する（ステップ４１２）。そうでない場合には、装置２００はステップ４００から繰り返す。
【００４７】
ステップ４１０では、装置２００は現在受信中のビットが部分的なＩＤの最終ビットであるか否かを検出する（例えば、ＩＤ（１B）の最終ビットである第９列、行３０４のビット）。現在受信中のビットが部分的なＩＤ列の最終ビットである場合には、装置はステップ４０８に進む。そうでない場合には装置２００はステップ４１４に進む。
【００４８】
ステップ４１４では、装置２００は受信したＩＤが完全に受信されたか否かを検出する。これは当分野において既知の多くの方法において行うことができ、ここではＭＳＩ長が受信したＩＤ長と同一であるか否かを検出する方法の１つを用いて行う。受信したＩＤが完全に受信された場合には、装置はステップ４１６に進み、メッセージ３００に付加されたチャネルコーディング情報を用いて全誤りが訂正される。そうでない場合には装置はステップ４００に戻り、メッセージ３００の次の列を受信する。
【００４９】
ステップ４１８では、装置２００は全ての誤りが訂正された後に、受信したＩＤがＭＳＩと同一であるか否かを検出する。受信したＩＤがＭＳＩと同一である場合には、装置２００は受信機２２０を動作状態に保持し、その呼を受信するページング無線機である旨を通知するために送信機を動作させることになる。そうでない場合には装置２００はステップ４１２に進む。
【００５０】
以下、ＲＣＲ−２７標準規格に対して本発明の方法を実現するための説明である。
【００５１】
ここで図５、図６、図７並びに図８を参照する。図５は、典型的なＲＣＲページングメッセージの第３プロトコルレイヤの模式図である。図６は、図５のページングメッセージの第２プロトコルレイヤの模式図である。図７は、図５及び図６のページングメッセージの第１プロトコルレイヤの模式図である。図８は、図７のページングメッセージの一部からなる、第１プロトコルレイヤにおけるページングメッセージフォーマットの模式図である。
【００５２】
図５では、ＲＣＲ標準規格に従ったページングメッセージの第３レイヤ５３４は以下のような複数のフィールドを含む。そのフィールドは、メッセージ種別フィールド５０２（１バイト）、ＢＣＣＨを受信するのに先行して、０〜１５のスーパーフレームの数を指示するためのＢＣＣＨ受信区間長フィールド５０４（１バイト）、ページングメッセージに含まれる移動局ＩＤ番号の数を指示するための呼出し移動局数フィールド５０６、呼出し局のＩＤ番号を含む移動局番号フィールド５０８、５１２，５１６並びに５２０（それぞれ６４ビットまで）並びに呼出し局の識別番号を含む着信識別番号フィールド５１０、５１４、５１８並びに５２２（それぞれ１バイト）である。
【００５３】
図６では、ページングメッセージ第２レイヤは、３つのフィールドを含み、各フィールドは以下に示すようなＮ（整数）オクテット（８ビット）の長さを有する。それは、ＰＣＨ用に２オクテットを含むアドレスフィールド５３０、２オクテットを含む制御フィールド５３２並びに図５に示されるようなページングメッセージを含むＮオクテット長を有する情報フィールド５３４である。
【００５４】
図７では、第１のプロトコルレイヤ６００は２８０ビットの情報を含み、その情報はバースト過渡応答用ガード（Ｒ）ビットフィールド５５２、プリアンブル（Ｐ）フィールド５５０、共通アクセスチャネル（ＣＡＣ）Ｉフィールド５４８、同期ワード（ＳＷ）フィールド５４６、カラーコードフィールド５４４、共通アクセスチャネル（ＣＡＣ）ＩＩフィールド５４２並びに衝突制御ビット（Ｅ）フィールド５４０からなる複数のフィールドに分割される。共通アクセスチャネル（ＣＡＣ）メッセージ５００は、２２４ビットを含み、それぞれ１１２ビットを含む２つの部分５４８及び５４２に分割される。
【００５５】
図８では、ＣＡＣ部分６４２及び６４８の詳細な図表が示されており、概ねメッセージ５００のＣＡＣ部分５４２及び５４８と同様である。破線はＣＡＣメッセージ５４８からなる第１の部分の最後を示しており、同期ワード（ＳＷ）フィールド及びカラーコードフィールドに先行して受信され、各行において７ビットを有している。この例では、アドレスフィールドは２バイト長からなる。
【００５６】
図８に戻ると、本発明の方法は間欠受信中にページングチャネル（ＰＣＨ）を受信するために用いることができる。ＣＡＣ５４８メッセージからなる第１の部分において受信するビットの数は１１２ビットである。これらのビットは、ＣＡＣメッセージ６００内の幾つかのフィールドの一部をなす。
【００５７】
ＭＳＩフィールドは元々のページングメッセージでは８０ビットまでを含むが、その内の５６ビットのみがＣＡＣメッセージ５４８からなる第１の部分において受信される。チャネルコーディングフィールド５７０により示されるＢＣＨコーディング方法は、メッセージ５３４の受信処理中に生じる場合がある誤りを訂正するために用いられる。本例示では、チャネルコーディングコード５７０は１つの行において１つの誤りまで訂正することができる。１つの行における誤りの数が２つ以上である場合には、全メッセージが破棄される。ＭＳにおいて、ＰＣＨ受信時に３つの動作が考えられる。
ａ．メッセージが誤って（ＣＲＣエラー）受信され、少なくとも１つの行に２つ以上の誤りが存在する。この場合にはメッセージは無視される。
ｂ．メッセージが有効に（１つの行に１つの誤りまでを有して）受信されるが、ＭＳＩが受信する局のＭＳＩと一致しない。この場合には、メッセージは受信されるが、ＭＳに影響を与えない。当分野においてこの場合はに、受信局は上記第１の場合と同様のことを行う。これが最も起こる可能性が高く、従ってハンドセットの電流消費を支配すると考えられる。本発明は、ＣＡＣメッセージ５４８からなる第１の部分のみをモニタする新規のアルゴリズムを用いてこの場合を排除する。
ｃ．メッセージが有効に受信され、ＭＳＩが移動局自体が有するＭＳＩと同一である。
【００５８】
本発明の方法（図４のステップ４０４）は、ＣＡＣメッセージ５３４に含まれるＭＳＩに相当する各位置に対する不一致の数と、ＭＳＩ情報５１０−５２２を含む行内の誤りの数とをカウントする。それぞれの比較において、少なくとも１つの行に２つ以上の誤りが存在する場合には、本方法のアルゴリズムはこのメッセージを「継続不要」として確定して、ＣＡＣメッセージの第２の部分の受信を中止する。それ以外の場合には、受信は継続される。
【００５９】
ＳＷ及びカラーコードは常時受信される。各行からの受信したビット数が、一致しないＭＳＩを除去するには不十分である場合がある（その差は受信されなかったビット内に現れる）。この場合に受信局は、ＳＷ５４６を受信した後に到達するメッセージを受信し続けるであろう。しかしながら、各受信ＭＳＩはＮ（整数）オクテット数により制限される。
【００６０】
本発明のこの態様に従った方法は以下の過程を含む。
Ａ．受信したＣＡＣメッセージにおいてＭＳＩの開始位置を確定する過程。
Ｂ．受信局のＭＳＩと（第１の過程において確定されるような）受信したＭＳＩとを比較する過程。この比較は受信したビットに対してのみ行われる。
Ｃ．各行において誤り数をカウントする過程。
Ｄ．ＭＳＩに相当する各点に対して少なくとも１つの行に所定の最大誤り数を超える誤りが存在する場合、現在のメッセージの受信を中止する過程。
Ｅ．全ての相当する点に対して過程Ａ−Ｄを繰り返す過程。
【００６１】
図９−図１６を参照すると、本発明の別の実施例に従った比較手順が示される。
【００６２】
本例示では、受信局のＭＳＩ長は２４ビットである。このＭＳＩ番号は000100100011010001010110である。
【００６３】
受信したＭＳＩは、
100xxx1101110xxx0101110xxx1001001xxx0101
111xxx0010000xxx1001110xxx0101011xxx0101
である。
【００６４】
図９−図１６では、受信したＭＳＩは細字で示され、一方受信局のＭＳＩは太字で示され、受信した情報の下に配置される。受信したメッセージの各行は、フォーマットNNNNNNNXXXにおいて示され、Ｎは受信したＭＳＩ情報ビットを表し、Xは受信していないＭＳＩビットを表す。受信局のＭＳＩと受信した情報との間の各不一致は四角で囲まれる。選択された行において許容される最大誤り数は１つである。
【００６５】
図９では、開始位置は第１のオクテット（８ビットからなる第１の組）の開始位置で確定される。第１の行には１つの不一致、第２の行には二つの不一致並びに第３の行には２つの不一致が存在する。
【００６６】
図１０では、開始位置は第２のオクテット（８ビットからなる第２の組）の開始位置で確定される。第２の行には２つの不一致、第３の行には３つの不一致並びに第４の行には３つの不一致が存在する。
【００６７】
図１１では、開始位置は第３のオクテット（８ビットからなる第３の組）の開始位置で確定される。第３の行には４つの不一致、第４の行には２つの不一致並びに第５の行には２つの不一致が存在する。
【００６８】
図１２では、開始位置は第４のオクテット（８ビットからなる第４の組）の開始位置で確定される。第４の行には５つの不一致、第５の行には３つの不一致並びに第６の行には１つの不一致が存在する。
【００６９】
図１３では、開始位置は第５のオクテット（８ビットからなる第５の組）の開始位置で確定される。第４の行には１つの不一致、第５の行には５つの不一致並びに第６の行には３つの不一致が存在する。
【００７０】
図１４では、開始位置は第６のオクテット（８ビットからなる第６の組）の開始位置で確定される。第５の行には３つの不一致、第６の行には４つの不一致並びに第７の行に４つの不一致が存在する。
【００７１】
図１５では、開始位置が第７のオクテット（８ビットからなる第７の組）の開始位置で確定される。第６の行に２つの不一致、第７の行に３つの不一致並びに第８の行に２つの不一致が存在する。
【００７２】
図１６では、開始位置が第８のオクテット（８ビットからなる第８の組）の開始位置が確定される。第７の行に４つの不一致、第８の行に３つの不一致並びに第９の行に２つの不一致が存在する。
【００７３】
上記それぞれの比較が、少なくとも１つの比較した行において少なくとも２つの不一致をもたらす。こうして受信局のＭＳＩは、受信したＭＳＩ情報において検出されることができない。それゆえ本発明の方法は、呼出メッセージの残りの部分の受信を中止する。
【００７４】
第１のＣＡＣ部分５４８からなる受信したＭＳＩ情報において、２４ビット長を有するＭＳＩを検出する確率の計算を以下に示す。
【００７５】
この場合に受信したＭＳＩ情報において、選択された行に対して許容される最大不一致数は、ＣＣ部分により１ビット誤りに限定される。
【００７６】
本例示では、図１３に示される場合に対して計算が行われる。ビットがランダムであるものと仮定すると、この事象に対する確率は、それぞれの行において７個の中から６個を検出したものと、７個の中から７個を検出したものとの論理和を取ったものであり、それが以下に与えられる。
【００７７】
【数１】
[７／（２^７）＋１／（２^７）]^２〜０．００４
全メッセージにおいて他のＭＳＩを除去するための確率の計算を以下に示す。本例示では、図９−図１２並びに図１４−図１６において上述した全ての場合に正確なＭＳＩを検出するための確率は、図１３に示される場合と同様であるものと仮定する。この事象に対する確率は、１から上記の確率を引いて、全事象回数分掛け合わせたものであり、それが以下に与えられる。
【００７８】
【数２】
（１−０．００４）^８＝０．９６８
用語「識別番号」は、任意の進法における数字、文字等のような任意の種類の記号を含むことができる任意のフォーマットの任意の識別番号列を含むことが理解されよう。
【００７９】
本発明は上記の特定の実施例に限定されるものではない。むしろ本発明の範囲は請求の範囲より画定される。
【００８０】
【発明の効果】
上記のように、通信プロトコルにおいて非逐次データフォーマットを用いる際に、データの誤りを効率的に検出することにより、待ち受けモード時の消費電力を低減するための方法及び装置を実現することができる。
【図面の簡単な説明】
【図１】当分野において知られるコード照合に関する模式図である。
【図２】本発明の好適な実施例に従って構成され、かつ動作する、待ち受けモード時の消費電力を低減するための装置の模式図である。
【図３】本発明の好適な実施例に基づく、説明符号と共に示される受信された送信メッセージの模式図である。
【図４】本発明の別の好適な実施例に従って機能する図２の装置を動作させるための方法の流れ図である。
【図５】典型的なＲＣＲ−２７（ＰＤＣ）ページングメッセージの第３プロトコルレイヤの模式図である。
【図６】図５のページングメッセージの第２プロトコルレイヤの模式図である。
【図７】図５及び図６のページングメッセージの第１プロトコルレイヤの模式図である。
【図８】図７のページングメッセージの一部からなる、第１プロトコルレイヤにおけるページングメッセージフォーマットの模式図である。
【図９】本発明の別の好適な実施例に従った比較手順を示す図である。
【図１０】本発明の別の好適な実施例に従った比較手順を示す図である。
【図１１】本発明の別の好適な実施例に従った比較手順を示す図である。
【図１２】本発明の別の好適な実施例に従った比較手順を示す図である。
【図１３】本発明の別の好適な実施例に従った比較手順を示す図である。
【図１４】本発明の別の好適な実施例に従った比較手順を示す図である。
【図１５】本発明の別の好適な実施例に従った比較手順を示す図である。
【図１６】本発明の別の好適な実施例に従った比較手順を示す図である。
【符号の説明】
１００、１０２  ビットシーケンス
１０４  ＩＤ部分
１０６  チャネルコーディング部分
１１０、１１２  不一致部分
２００  装置
２０２  バッファ
２０４  比較器
２０６  記憶ユニット
２０８  コントローラ
２２０  受信機
２２２  アンテナ
３００  メッセージ
３０２、３０４、３０６、３０８  行
３１０  列１受信タイミング
３１２  列２受信タイミング
３１４  列６受信タイミング
３１５  列Ｊ受信タイミング
３１６  列Ｋ受信タイミング
４００〜４２０  流れ図の各ステップ
５００
５０２  メッセージ種別フィールド
５０４  ＢＣＣＨ受信区間長フィールド
５０６  呼出し移動局数フィールド
５０８、５１２、５１６、５２０  移動局番号フィールド
５１０、５１４、５１８、５２２  着信識別番号フィールド
５３０  アドレスフィールド
５３２  制御フィールド
５３４  情報フィールド
５４０  衝突制御ビットフィールド
５４２  共通アクセスチャネルＩＩフィールド
５４４  カラーコードフィールド
５４６  同期ワードフィールド
５４８  共通アクセスチャネルＩフィールド
５５０  プリアンブルフィールド
５５２  バースト過渡応答用ガードビットフィールド
５７０  チャネルコーディング
６００  ＣＡＣメッセージ
【図１】
0004354035.tif 000002
【図２】
0004354035.tif 000003
【図３】
0004354035.tif 000004
【図４】
0004354035.tif 000005
【図５】
0004354035.tif 000006
【図６】
0004354035.tif 000007
【図７】
0004354035.tif 000008
【図８】
0004354035.tif 000009
【図９】
0004354035.tif 000010
【図１０】
0004354035.tif 000011
【図１１】
0004354035.tif 000012
【図１２】
0004354035.tif 000013
【図１３】
0004354035.tif 000014
【図１４】
0004354035.tif 000015
【図１５】
0004354035.tif 000016
【図１６】
0004354035.tif 000017